(57)【要約】      （修正有）【課題】靴の汚れや傷の防止を図るとともに、靴や服装のデザインに合わせて自由にかつ容易に付け替えることが可能な装飾用の靴用つま先カバーに関するものを提供する。【解決手段】靴の前方に装着して使用する装飾用の靴用つま先カバーであって、靴の甲被を覆う甲被部１と、靴の前記甲被を挟んで装着するためのシューズクリップ２を前記甲被部に設けている。【選択図】図１
2017070572.tif 000002
【特許請求の範囲】
【請求項１】
靴の前方に装着して使用する装飾用の靴用つま先カバーであって、靴の甲被を覆う甲被部（１）と、靴の前記甲被を挟んで装着するためのシューズクリップ（２）を前記甲被部（１）に設けたことを特徴とする靴用つま先カバー。
【請求項２】
前記シューズクリップ（２）の前記甲被部（１）への取り付け部を覆い隠すように前記甲被部（１）の表面に装飾品（３）を取り付けたことを特徴とする請求項１に記載の靴用つま先カバー。
【請求項３】
前記甲被部（１）の最前部に保護部（４）を設けたことを特徴とする請求項１または請求項２に記載の靴用つま先カバー。
【請求項４】
前記甲被部（１）が合成樹脂または合成繊維または合成ゴムで形成されていることを特徴とする請求項１〜３のいずれか1項に記載の靴用つま先カバー。
【請求項５】
前記保護部（４）が金属または合成樹脂または合成繊維または合成ゴムで形成されていることを特徴とする請求項３または請求項４に記載の靴用つま先カバー。
【発明の詳細な説明】
【技術分野】
【０００１】
本発明は、靴の汚れや傷の防止を図るとともに、靴や服装のデザインに合わせて自由にかつ容易  
に付け替えることが可能な装飾用の靴用つま先カバーに関するものである。
【背景技術】
【０００２】
従来、防水や汚れ防止のための靴用つま先カバーがあった（特許文献１参照）。
また、強度向上のための靴用つま先カバーがあった（特許文献２参照）。
また、泥や砂が入ることを防ぐための靴用つま先カバーがあった（特許文献３参照）。
【先行技術文献】
【特許文献】
【０００３】
【特許文献１】特開２００９−４５１８７号公報
【特許文献２】特開２０１０−２３３７８９号公報
【特許文献３】特開２００８−２８４１１３号公報
【発明の概要】
【発明が解決しようとする課題】
【０００４】
これまでの靴用つま先カバーは、運動靴や作業靴を対象としており、防水や汚れ防止、強度向上等の機能面を重視したものであった。また、靴とつま先カバーの取り付け方が、靴の製造工程で靴本体と一体化させるものや、ベルトで接続するものであった。そのため、次のような問題点があった。
（１）運動靴や作業靴を対象としたつま先カバーであるため、女性用のパンプスには適合しない形態であった。
（２）防水や強度向上等の機能面を重視したつま先カバーであるため、デザイン性に欠けていた。
（３）つま先カバーが靴本体と一体化しているため、つま先カバーの付け替えが困難であった。
（４）靴本体とつま先カバーをベルトで接続するため、装着するために時間を要した。
本発明は、これらの問題点を解決するためになされたものである。
【課題を解決するための手段】
【０００５】
本発明の靴用つま先カバーは、靴の前方に装着して使用する装飾用の靴用つま先カバーであって、靴の甲被を覆う甲被部と、靴の前記甲被を挟んで装着するためのシューズクリップを前記甲被部に設けたことを特徴とする。
【発明の効果】
【０００６】
本発明の靴用つま先カバーは、女性用のパンプスにも装着することができる。また、シューズクリップで着脱可能なため、容易に付け替えることが可能である。さらに、様々な素材や模様で形成することができるため、靴や服装のデザインに応じて自由に組み合わせることができる。オシャレを楽しみながら、かつ靴の購入費用の節約もできる等、多くの効果を奏することができる。
【図面の簡単な説明】
【０００７】
【図１】本発明の実施例１の靴用つま先カバーの表面図である。
【図２】本発明の実施例１の靴用つま先カバーの側面図である。
【図３】本発明の実施例１の靴用つま先カバーの裏面図である。
【図４】本発明の実施例１の靴用つま先カバーを靴に装着した表面図である。
【図５】本発明の実施例１の靴用つま先カバーを靴に装着した側面図である。
【図６】本発明の実施例１の靴用つま先カバーを靴に装着した裏面図である。
【図７】本発明の実施例２の靴用つま先カバーの表面図である。
【図８】本発明の実施例２の靴用つま先カバーの側面図である。
【図９】本発明の実施例２の靴用つま先カバーの裏面図である。
【図１０】本発明の実施例２の靴用つま先カバーを靴に装着した表面図である。
【図１１】（Ａ）本発明の実施例３の靴用つま先カバーの表面図であり、（Ｂ）本発明の実施例３の靴用つま先カバーを靴に装着した表面図である。
【図１２】本発明の実施例３の靴用つま先カバーを靴に装着した裏面図である。
【発明を実施するための形態】
【０００８】
以下、本発明の実施の形態について、実施例に基づいて説明する。
【実施例１】
【０００９】
本発明の実施例１の靴用つま先カバーは、図１〜６に示すように、靴１０の前方に装着して使用する装飾用の靴用つま先カバーであって、靴１０の甲被を覆う甲被部１と、甲被部１に靴１０の甲被を挟んで装着するためのシューズクリップ２を設けている。甲被部１は、靴１０の甲被のほとんどを覆っており、甲被部１の底部は靴１０の底部の最前部の少なくとも一部を残して開口している。甲被部１の外周縁部にシューズクリップ２を設け、靴１０の甲被を挟み込むことで、甲被部１を靴１０にしっかり固定することができ、着脱も容易である。甲被部１は、合成樹脂または合成繊維または合成ゴム等の素材を用いて、様々な模様をつけることができる。靴や服装のデザインに応じて、自由に付け替えることができるため、オシャレを楽しみながら、かつ靴の購入費用を節約することができる。
【実施例２】
【００１０】
本発明の実施例２の靴用つま先カバーは、図７〜９に示すように、実施例１に対して、シューズクリップ２の甲被部１への取り付け部が目立つのを防ぐために、甲被部１の表面に装飾品３を取り付けている。
【実施例３】
【００１１】
本発明の実施例３の靴用つま先カバーは、図１１及び図１２に示すように、甲被部１の最前部に保護部４を設けている。保護部４を設けることで甲被部１の強度の向上や傷または汚れの防止を図ることができる。保護部４は、歩行時に地面と接する甲被部１の裏面を後方まですべて覆っている。保護部４は、金属または合成樹脂または合成繊維または合成ゴム等の素材を用いて、様々な模様をつけることができる。
【符号の説明】
【００１２】
１    甲被部   
２    シューズクリップ
３    装飾品
４    保護部
１０     靴  
【図１】
2017070572.tif 000003
【図２】
2017070572.tif 000004
【図３】
2017070572.tif 000005
【図４】
2017070572.tif 000006
【図５】
2017070572.tif 000007
【図６】
2017070572.tif 000008
【図７】
2017070572.tif 000009
【図８】
2017070572.tif 000010
【図９】
2017070572.tif 000011
【図１０】
2017070572.tif 000012
【図１１】
2017070572.tif 000013
【図１２】
2017070572.tif 000014